(57)【特許請求の範囲】
【請求項１】
１ロールの現像済みスチル写真フイルムから各コマ画像を読み取り、各コマ画像を表示手段に表示させるフイルムプレーヤであって、ラボへの注文情報の編集を行う機能と、フイルム画像の再生を行う自動再生の情報の編集を行う機能又はフイルム画像の再生を行う機能とを有し、前記ラボへの注文情報又は前記自動再生の情報を編集する際に前記１ロールの現像済み写真フイルムの全コマの縮小画像を示すインデックス画像を表示手段に表示するフイルムプレーヤにおいて、
前記ラボへの注文情報の編集を行う機能又は前記自動再生の情報の編集を行う機能を選択する機能選択手段と、
前記機能選択手段によって前記ラボへの注文情報の編集を行う機能が選択された場合には、前記１ロールのフイルムの全コマの縮小画像が印刷されたインデックスプリントと等価なコマ画像配列となるように各コマ画像をコマ番号順に縦方向に所定枚数ずつ配列し全コマ数に応じて列数を増やしてインデックス画像を構成し、前記機能選択手段によって前記自動再生の情報の編集を行う機能が選択された場合には、各コマ画像をコマ番号順に横方向に所定枚数ずつ配列し全コマ数に応じて行数を増やしてインデックス画像を構成するインデックス画像配列変換手段と、
を備えたことを特徴とするフイルムプレーヤ。
【請求項２】
各コマ画像の天地方向を示す縦横情報に基づいて各コマ画像が正立するように回転させる縦横変換手段を有し、該縦横変換手段は、前記機能選択手段によって前記ラボへの注文情報の編集を行う機能が選択された場合には縦横変換処理を実行しないことを特徴とする請求項１のフイルムプレーヤ。
【発明の詳細な説明】
【０００１】
【産業上の利用分野】
本発明はフイルムプレーヤに係り、特にインデックス画像において、ラボへの注文情報の編集及び自動再生情報の編集が可能なフイルムプレーヤに関する。
【０００２】
【従来の技術】
従来、写真フイルムに透明磁性体を塗布して磁気記録層を形成し、カメラでの撮影時に磁気記録層の所定の磁気トラックに撮影データを記録するカメラが知られている（米国特許４８７８０７５号）。この種のカメラによれば、撮影日時、撮影フォーマット、フレームの縦横・上下左右、ストロボＯＮ／ＯＦＦ等を磁気トラックに記録することができる。
【０００３】
また、ラボ（現像所）からのフイルムの返却形態として現像済みの１ロール分のフイルムをフイルムカートリッジに収納して返却することが提案されており、このようにフイルムをフイルムカートリッジに収納して返却した場合、ネガフイルムを目視で確認することが出来ないため、予め所定の配列で配置されたコマ番号とこのコマ番号と一対一に対応する印画（インデックス画）がプリントされたインデックスプリントをフイルムカートリッジとともに返却することが提案されている。
【０００４】
上記インデックスプリントは、図５に示すようにプリント用紙の縦方向の長さＬが決まっており、各コマ画像がコマ番号順に５コマずつ縦方向に配列され、全コマ数に応じて横方向の列数が決定される。従って、１ロールのコマ数が４０コマの場合には、５行８列のインデックス画像が印刷される。また、インデックスプリントの横方向の長さは、全コマ数（列数）に応じて変化する。
【０００５】
一方、現像済みスチル写真フイルムをラインセンサで撮像し、写真フイルムの画像を画像信号に変換し、これをモニタＴＶに出力してフイルム画像を表示させるフイルムプレーヤが提案されている。
上記フイルムプレーヤにおいては、更にフイルムの各フレームに対応する磁気トラックにラボへの焼増し注文情報を記録したり、所望のフイルム画像を再生させるために必要な各種の再生情報（自動再生情報）や、フレーム画像を自動プリントするために必要な自動プリント情報等を記録するものも提案されている。
【０００６】
【発明が解決しようとする課題】
ところで、通常モニタＴＶの画面は横書きで縦方向にスクロールして次画面を表示するように使用されている。このため、フイルムプレーヤにおいても同様に、モニタ画面に表示するインデックス画像は、１コマ目から順にモニタ画面の横幅で納まる範囲の枚数ずつ横方向に配列し、１画面内に納まらないコマ画像を縦方向のスクロールによって表示するようにした方が見やすい。
【０００７】
しかしながら、上記インデックスプリントはプリント用紙の縦方向の寸法が決まっており、全コマ数に応じて横方向の寸法が決定されるため、各コマ画像はコマ番号順に縦方向に配列されている。このため、フイルムプレーヤで前述のようなインデックス画像を表示すると、インデックスプリントのコマ配列とインデックス画像のコマ配列が異なり、インデックスプリントとインデックス画像の両方を使用しながらラボへの注文情報等を入力する場合などには、インデックスプリントを有効に利用することができないという問題が生じる。
【０００８】
一方、インデックス画像をインデックスプリントに合わせたコマ配列で表示すると、ラボへの注文情報等の編集においては使用しやすい画面になるが、他の用途でインデックス画像を使用する場合（自動再生情報の編集を行う場合等）には、モニタ画面上で見やすい順序と異なるために使用しづらくなるという問題が生じる。
【０００９】
本発明はこのような事情に鑑みてなされたもので、使用目的に応じて使用し易い構成のインデックス画像を表示するフイルムプレーヤを提供することを目的とする。
【００１０】
【課題を解決するための手段】
本発明は前記目的を達成するために、１ロールの現像済みスチル写真フイルムから各コマ画像を読み取り、各コマ画像を表示手段に表示させるフイルムプレーヤであって、ラボへの注文情報の編集を行う機能と、フイルム画像の再生を行う自動再生の情報の編集を行う機能又はフイルム画像の再生を行う機能とを有し、前記ラボへの注文情報又は前記自動再生の情報を編集する際に前記１ロールの現像済み写真フイルムの全コマの縮小画像を示すインデックス画像を表示手段に表示するフイルムプレーヤにおいて、前記ラボへの注文情報の編集を行う機能又は前記自動再生の情報の編集を行う機能を選択する機能選択手段と、前記機能選択手段によって前記ラボへの注文情報の編集を行う機能が選択された場合には、前記１ロールのフイルムの全コマの縮小画像が印刷されたインデックスプリントと等価なコマ画像配列となるように各コマ画像をコマ番号順に縦方向に所定枚数ずつ配列し全コマ数に応じて列数を増やしてインデックス画像を構成し、前記機能選択手段によって前記自動再生の情報の編集を行う機能が選択された場合には、各コマ画像をコマ番号順に横方向に所定枚数ずつ配列し全コマ数に応じて行数を増やしてインデックス画像を構成するインデックス画像配列変換手段と、を備えたことを特徴としている。
【００１２】
【作用】
本発明によれば、ラボへの注文情報の編集を行う機能と、フイルム画像の再生を行う自動再生の情報の編集を行う機能又はフイルム画像の再生を行う機能とを有するフイルムプレーヤにおいて、スチル写真フイルムのコマ画像をインデックス画像として表示手段に表示する際に、機能選択手段によって前記ラボへの注文情報の編集を行う機能が選択された場合には、１ロールのフイルムの全コマの縮小画像が印刷されたインデックスプリントと等価なコマ画像配列となるように各コマ画像をコマ番号順に縦方向に所定枚数ずつ配列し全コマ数に応じて列数を増やしてインデックス画像を構成し、機能選択手段によって前記自動再生の情報の編集を行う機能が選択された場合には、各コマ画像をコマ番号順に横方向に所定枚数ずつ配列し全コマ数に応じて行数を増やしてインデックス画像を構成する。
【００１３】
また、前記インデックス画像を表示する際に、選択手段によってコマ画像配列をフイルムの先端側から順次配列するか又はフイルムの後端側から順次配列するかを選択し、インデックス画像配列手段によってこの選択されたコマ画像配列となるようにインデックス画像を構成する。
以上によって使用目的に応じた構成のインデックス画像が表示される。
【００１４】
【実施例】
以下添付図面に従って本発明に係るフイルムプレーヤの好ましい実施例を詳説する。
図１は本発明に係るフイルムプレーヤの外観図である。同図に示すように、このフイルムプレーヤ１００は直方体状に形成され、その前面にはフイルムカートリッジトレー１０２及び電源スイッチ１０４が設けられている。フイルムカートリッジトレー１０２は、フイルムカートリッジ１１０のローディング／アンローディング時に前後方向に進退駆動され、これよりフイルムカートリッジ１１０の収納または取り出しが行われる。
【００１５】
フイルムプレーヤ１００にはキーパッド１２０及びモニタＴＶ１０９が接続されており、キーパッド１２０からは信号ケーブル１０６を介してフイルムプレーヤ１００を制御するための各種の操作信号がフイルムプレーヤ１００に出力され、フイルムプレーヤ１００からは信号ケーブル１０８を介して映像信号がモニタＴＶ１０９に出力される。
【００１６】
先ず、上記フイルムプレーヤ１００の詳細について説明する。
図２はフイルムプレーヤ１００の一実施例を示すブロック図であり、このフイルムプレーヤ１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１、表示バッファＭ２、中央処理装置（ＣＰＵ）１６０、フイルム駆動メカ１７０、光学データ読取装置１８０、磁気記録再生装置１８２、及びフイルムカートリッジ１１０が収納されるフイルムカートリッジ収納部（図示せず）等を備えている。
【００１７】
フイルムカートリッジ１１０は、図３に示すように単一のスプール１１２を有し、このスプール１１２に写真フイルム１１４が巻回されている。写真フイルム１１４には、各コマの位置を示すパーフォレーション１１４Ａが穿設されるとともに、フイルム全面又はフイルム縁部に磁気記録層１１４Ｂが形成されており、この磁気記録層１１４Ｂには、磁気ヘッドを有するカメラによってコマ毎の撮影データ等を示す磁気データが記録できるようになっている。また、現像処理された上記写真フイルム１１４はフイルムカートリッジ１１０に巻き取られ、これにより保管できるようになっている。
【００１８】
図２において、光源１３０は、例えばフイルム１１４の給送方向と直交する方向に長い蛍光灯からなり、赤外カットフィルタ１３２を介してフイルム１１４を照明する。フイルム１１４を透過した画像光は、単焦点の撮影レンズ１３６を介してＣＣＤラインセンサ１４２の受光面に結像される。ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じて量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。尚、ＣＣＤラインセンサ１４２によるフイルム画像の撮像中には、フイルム１１４はフイルム駆動メカ１７０によって一定速度で矢印Ａ方向（順方向）に移動させられる。
【００１９】
このようにしてＣＣＤラインセンサ１４２から順次読み出される信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００２０】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。
第２信号処理回路１５２はマトリクス回路を有し、入力するＲ，Ｇ，Ｂ信号に基づいて輝度信号Ｙ及びクロマ信号Ｃr/b を生成し、これらをメモリ制御回路１５４に出力する。
【００２１】
メモリ制御回路１５４は、上記輝度信号Ｙ及びクロマ信号Ｃr/b のＣＣＤバッファＭ１への書込み／読出しを制御するとともに、ＣＣＤバッファＭ１に記憶された輝度信号Ｙ及びクロマ信号Ｃr/b の表示バッファＭ２への書込み／読出しを制御する。尚、ＣＣＤバッファＭ１及び表示バッファＭ２への書込み／読出し制御の詳細については後述する。
【００２２】
メモリ制御回路１５４によって表示バッファＭ２から読み出される輝度信号Ｙ及びクロマ信号Ｃr/b は、第３信号処理回路１５３に加えられる。第３信号処理回路１５３は、入力する輝度信号Ｙ及びクロマ信号Ｃr/b に基づいて例えばＮＴＳＣ方式のカラー複合映像信号を生成し、これをＤ／Ａコンバータ１５６、ビデオ出力端子１５８を介して画像表示装置２００（図１）に出力する。尚、メモリ制御回路１５４、第３信号処理回路１５６及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００２３】
フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設され、フイルム１１４をキャプスタンとピンチローラとで挟持してフイルム１１４を一定速度で送る手段とから構成されている。尚、上記フイルム供給部は、フイルムカートリッジ１１０のスプール１１２を図２上で時計回り方向に駆動し、フイルム先端がフイルム巻取部によって巻き取られるまでフイルムカートリッジ１１０からフイルム１１４を送り出すようにしている。
【００２４】
光学データ読取装置１８０は、フイルム１１４のパーフォレーション１１４Ａを光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
【００２５】
磁気記録再生装置１８２は磁気ヘッド１８２Ａを含み、磁気ヘッド１８２Ａを介してフイルム１１４の磁気記録層１１４Ｂに記録されている磁気データを読み取り、その磁気データを処理してＣＰＵ１６０に出力し、また、ＣＰＵ１６０から加えられる書込み用のデータを磁気記録に適した信号に変換したのち磁気ヘッド１８２Ａに出力し、フイルム１１４の磁気記録層１１４Ｂに記録する。
【００２６】
上記構成のフイルムプレーヤ１００にフイルムカートリッジ１１０がセットされると、ＣＰＵ１６０はフイルム駆動メカ１７０を制御してフイルムローディングを実行する。即ち、フイルムカートリッジ１１０からフイルム１１４を送り出し、フイルム先端をフイルム巻取部の巻取軸に巻き付ける。フイルムローディングが完了すると、フイルム１１４を高速で順方向に給送する。そして、上記順方向のスキャン時に、ＣＣＤラインセンサ１４２を介して画像データを取り込むととともに、光学データ読取装置１８０及び磁気記録再生装置１８２を介して光学データ及び磁気データを読み取る。
【００２７】
次に、上記スキャン時に取り込んだ画像データに基づく処理について説明する。
上記スキャン時に取り込んだ各コマの画像データ、即ち、第２信号処理回路１５２から出力される輝度信号Ｙ及びクロマ信号Ｃr/b は、メモリ制御回路１５４を介してＣＣＤバッファＭ１に順次記憶される。尚、図４（Ａ）に示すように１コマのフイルム給送方向と同方向の画素数は１１２画素であり、フイルム給送方向と直交する方向の画素数は６４画素である。ＣＣＤバッファＭ１は、同図（Ａ）に示すように５１２×１０２４画素のデータを記憶する記憶容量を有しており、これにより５×４×２（＝４０）コマ分の画像データを記憶することができる。即ち、ＣＣＤバッファＭ１には、４０コマ分のインデックス画像を示す画像データが記憶されることになる。
【００２８】
表示バッファＭ２は、図４（Ｂ）に示すように５１２×１０２４画素のデータを記憶する記憶容量を有しているが、上記インデックス画像を示す画像データを記憶する場合には、１コマの画素が７３×１２８に拡大されて５×４（＝２０）コマ分の画像データを記憶する。そして、インデックス画像をモニタＴＶに表示させる場合には、表示バッファＭ２の左上の４８０×６４０画素分の領域が読み出される（同図（Ｂ）、（Ｃ）参照）。
【００２９】
さて、ＣＣＤバッファＭ１には、図４（Ａ）に示すように上記スキャン時における各コマの画像データの読取り順に、各コマの画像データが左上の記憶領域から右側に向かって順次記憶され、４コマ分記憶されると、１行下がった記憶領域から再び右側に向かって順次記憶される。そして、５行分（４×５＝２０コマ分）記憶されると、隣の２０コマ分の記憶領域に同様にして記憶される。
【００３０】
表示バッファＭ２にはインデックス画像を表示する目的に応じてＣＣＤバッファＭ１から読み出された２０コマ分の画像データが図４（Ｂ）に示すように所定領域に記憶される。即ち、表示バッファＭ２に記憶されているコマ画像がそのままの配列でモニタ画面に表示されるため、ＣＣＤバッファＭ１からコマ画像を読み出して表示バッファＭ２にこのコマ画像を記憶する際に、インデックス画像の表示目的に合わせてメモリ制御回路１５４がＣＣＤバッファＭ１から読み出すコマ画像とこのコマ画像を記憶する表示バッファＭ２の領域を制御する。この表示目的に合わせたインデックス画像のコマ配列についての詳細は後述する。
【００３１】
尚、ＣＰＵ１６０は、上記スキャン時における各コマの画像データの読取り順に各コマに対してコマ番号を１、２、…とし、各コマのコマ番号を示すキャラクター信号を出力することにより、コマ番号がスーパーインポーズされたインデックス画像を表示させることができる。
上記のようにしてインデックス画像の作成が行われ、インデックス画像がモニタＴＶ１０９に表示されると、続いてインデックス画像を見ながらキーパッド１２０を使用し、モニタＴＶ１０９に所望のフイルム画像を再生させるために必要な各種の情報（以下、自動再生情報という）又はラボへの注文情報の入力を行うことができる。
【００３２】
ただし、自動再生情報の編集を行う機能（自動再生機能）を選択するか、ラボへの注文情報の編集を行う機能（ラボへの注文機能）を選択するかはインデックス画像を表示する前の段階で図示しない機能選択手段によってユーザが指定する。そして、ＣＰＵ１６０は自動再生機能が選択されたかラボへの注文機能が選択されたかに応じてインデックス画像をモニタＴＶ１０９に表示させる。
【００３３】
次に、使用目的に応じたインデックス画像の構成について説明する。
まず、図示しない機能選択手段によってラボへの注文機能が選択された場合のインデックス画像について説明する。ラボへの注文機能が選択された場合のインデックス画像は図５に示したインデックスプリントと同様のコマ配列で表示される。即ち、メモリ制御回路１５４は、図６に示すようにＣＣＤバッファＭ１に同図（Ａ）のようなコマ番号順に記録されているコマ画像を１から順に読み出し、表示バッファＭ２に同図（Ｂ）のように縦方向に５コマずつ記録していく。
【００３４】
インデックス画像は、キーパッド１２０の左右キー１２３、１２４の操作によって左右方向に移動し、それに応じてＣＣＤバッファＭ１から該当する範囲の２０コマ分のコマ画像が表示バッファＭ２に読み出されコマ番号１６〜２０のコマ画像に続いてコマ番号２１〜４０までのコマ画像が順に表示される。  また、インデックスプリントはカメラでの撮影状況に関係なくすべて横画像で表示されているため、ラボへの注文機能が選択されている場合には、各コマ画像の縦横変換処理を禁止し、インデックス画像においてもすべてコマ画像は横画像で表示されるようにする。
【００３５】
尚、縦横変換処理は、写真フイルム１１４の磁気記録層１１４Ｂに各コマ画像の天地方向を示す縦横情報が記録されている場合に、この縦横情報に従ってメモリ制御回路１５４によって行われ、ＣＣＤバッファＭ１から表示バッファＭ２にコマ画像を転送する際に、ＣＣＤバッファＭ１から読み出したコマ画像を回転させてコマ画像が正立するように表示バッファＭ２の所定領域範囲内に記録する。
【００３６】
上記のようにインデックスプリントと同じコマ配列で配置されたインデックス画像が表示されると、インデックスプリントで選択したコマをインデックス画面上で見つけやすく、またインデックス画面にそのコマがない場合には、そのコマを表示画面に入れるためのスクロールも容易に行うことができる。そして、キーパッド１２０を使用して所望のコマを指定し、プリント枚数、プリント種類（ラージュ、ハイビジョン、パノラマ等）の各種情報の編集を行うことができる。図７はモニタＴＶに表示されたインデックス画像である。モニタ画面の右端にはオンスクリーンコマンドが表示されている。
【００３７】
コマンドを実行する際には、まずキーパッド１２０によって編集するコマを選択し、続いて実行するコマンドを選択する。オンスクリーンコマンドの”回転”コマンドはコマ画像の縦横表示を交互に変換し、”Ｈ”、”Ｌ”、”Ｐ”コマンドはそれぞれＨ、Ｌ、Ｐのプリントサイズの指定を行う。
”情報”コマンドは、図８のように選択されたコマに関する情報を画面上に表示する（この表示画面を各コマ情報編集画面という）。各コマ情報編集画面には、コマ番号（フレーム番号）、撮影日時、日付のプリントＯＮ／ＯＦＦ、プリント枚数、サイズ、タイトル、タイトルのプリントＯＮ／ＯＦＦ、シャッタースピード、絞り等の情報が表示される。これら情報のうち数値やＯＮ／ＯＦＦで表示される情報に関しては、キーパッド１２０の「ＵＰ」、「ＤＯＷＮ」キー１２５、１２６等によって所望の数値又はＯＮ／ＯＦＦに編集することができるようになっている。タイトル等の文字情報に関しては、モニタ画面に表示されるキーボードから所望のキーをキーパッド１２０の「上」、「下」、「左」、「右」キー１２１〜１２４、「Ｅｘｅｃｕｔｅ」キー１２７によって選択することによって所望の文字情報を編集することができるようになっている。
【００３８】
以上、図示しない機能選択手段によってラボへの注文機能が選択された場合のインデックス画像について説明したが、機能選択手段によって自動再生機能が選択された場合には、メモリ制御回路１５４は、図９に示すようにＣＣＤバッファＭ１に同図（Ａ）のようなコマ番号順に記録されているコマ画像を１から順に読み出し、表示バッファＭ２に同図（Ｂ）のように横方向に４コマずつ記録していく。
【００３９】
インデックス画像は、キーパッド１２０の上下キー１２１、１２２が操作されると上下方向に移動し、それに応じてＣＣＤバッファＭ１から該当する範囲の２０コマ分のコマ画像が表示バッファＭ２に読み出されコマ番号１６〜２０のコマ画像の下段にコマ番号２１〜４０までのコマ画像が順に表示されるようになっている。尚、自動再生機能におけるインデックス画面では、前述した縦横情報に基づいて縦横変換処理されたコマ画像が表示される。
【００４０】
以上のようにインデックス画像が表示されると、自動再生の各種情報をキーパッド１２０を使用して設定することができる。
尚、上記フイルムプレーヤの説明におけるインデックス画面では、フイルムの先端側のコマ画像から順次配列するようにしていたが、上記フイルムプレーヤではインデックス画像のコマ配列をフイルムの後端側のコマ画像から順次配列することができるようになっている。
【００４１】
即ち、撮影時に使用するカメラの種類によって、コマ画像がフイルムの先端側から順次撮影される（ノーマルワインド方式）場合と、フイルムの終端側から順次撮影される（プリワインド方式）場合とがあり、コマ画像がプリワインド方式で撮影された場合にはインデックス画面のコマ画像配列は撮影した順序とは逆になっている。
【００４２】
そこで、上記フイルムプレーヤでは図示しない表示切替えスイッチによってコマ画像配列の順序を逆転し、撮影したコマ画像の順序と一致させることことができるようになっている。例えば、インデックス画面に表示されているコマ画像配列がノーマルワインド方式の撮影順序に対応している場合に、プリワインド方式に対応したコマ画像配列への表示順切替えを表示切替えスイッチによって指定すると、ＣＣＤバッファＭ１から表示バッファＭ２へのコマ画像の読み出しが再度行われ、このとき、メモリ制御回路１５４はＣＣＤバッファＭ１に記録されているコマ画像のうちフイルムの後端側のコマ画像の方から順に２０コマ分の画像を読み出し、表示バッファＭ２の左上から順に記録していく（図４参照）。そして、この表示バッファＭ２に記録したコマ画像をモニタＴＶに出力し、プリワインド方式に対応したコマ画像配列のインデックス画像を画面に表示する。
【００４３】
また、上記のようにインデックス画面においてコマ画像配列の順序を逆転した場合には、全ての磁気情報の編集終了時にこのコマ画像配列を示す情報をフイルムのリーダー部に磁気情報として記録しておく。これにより、次にこのフイルムの磁気情報を編集する場合に、フイルムのリーダー部に記録されているコマ画像配列を示す情報から、フイルムプレーヤが自動的に前回の磁気情報編集時に指定されたコマ画像配列の順序を判断し、初めからこのコマ画像配列の順序でインデックス画像を表示することができるようになる。
【００４４】
更に、カメラでの撮影時において、ノーマルワインド方式による撮影かプリワインド方式による撮影かを示す情報をフイルムのリーダー部に磁気情報又は光学情報で記録しておけば、上記フイルムプレーヤではこの磁気情報又は光学情報の読み取りによってフイルムがどの方式で撮影されたかを判断することができる。例えば、レンズ付きカメラはプリワインド方式を採用しているが、このカメラで使用されたフイルムのリーダー部にレンズ付きカメラで撮影されたことを示す光学情報を記録しておけば、フイルムプレーヤはこの光学情報から、プリワインド方式に対応したコマ画像配列のインデックス画面を表示することができる。
【００４５】
また更に、カメラでの撮影時において各コマ画像の撮影時間の情報が記録されている場合には、この情報からコマ画像配列の順序を判断することもできる。
【００４６】
【発明の効果】
以上説明したように本発明に係るフイルムプレーヤによれば、インデックス画面におけるコマ画像の配列及びコマ画像の縦横表示を使用目的に応じて切り換るようにするとともに、コマ画像配列の順序を逆転可能にしたため、インデックス画面が見やすくなり、情報の編集等が行いやすくなる。
【図面の簡単な説明】
【図１】図１は本発明に係るフイルムインデックス装置が適用されるフイルムプレーヤの外観図である。
【図２】図２は図１に示したフイルムプレーヤの内部構成の一実施例を示すブロック図である。
【図３】図３は図１に示したフイルムプレーヤに適用されるフイルムカートリッジの一例を示した図である。
【図４】図４（Ａ）乃至（Ｃ）は図２に示したフイルムプレーヤにおけるＣＣＤバッファ、表示バッファにおける記憶領域を示す図である。
【図５】図５はインデックスプリントのコマ配列の一例を示す図である。
【図６】図６（Ａ）乃至（Ｃ）はラボへの注文情報編集時におけるＣＣＤバッファ、表示バッファのコマ配列を説明した図である。
【図７】図７はラボへの注文情報編集時のインデックス画像の一実施例を示す図である。
【図８】図８は各コマの情報を表示、編集する各コマ編集画面を示す図である。
【図９】図９（Ａ）乃至（Ｃ）は自動再生情報編集時におけるＣＣＤバッファ、表示バッファのコマ配列を説明した図である。
【符号の説明】
１００…フイルムプレーヤ
１０２…フイルムカートリッジトレー
１０９…モニタＴＶ
１１０…フイルムカートリッジ
１１４…写真フイルム
１１４Ａ…パーフォレーション
１１４Ｂ…磁気記録層
１２０…キーパッド
１３０…光源
１３５…撮影レンズ
１４２…ＣＣＤラインセンサ
１５１…第１信号処理回路
１５２…第２信号処理回路
１５３…第３信号処理回路
１５４…メモリ制御回路
１６０…中央処理装置（ＣＰＵ）
１７０…フイルム駆動メカ
Ｍ１…ＣＣＤバッファ
Ｍ２…表示バッファ
【図１】
0003541972.tif 000002
【図２】
0003541972.tif 000003
【図３】
0003541972.tif 000004
【図４】
0003541972.tif 000005
【図５】
0003541972.tif 000006
【図６】
0003541972.tif 000007
【図７】
0003541972.tif 000008
【図８】
0003541972.tif 000009
【図９】
0003541972.tif 000010